(57)【要約】【課題】  高解像度で、パネルサイズに対する表示エリアの割合が大きく、高輝度の表示が可能な表示パネル、表示装置、および移動体の表示モジュールを提供する。【解決手段】  有機ＥＬパネル２は、有機ＥＬ素子２２１を有する複数の画素２１０Ａが配置された発光素子基板１１を備え、画像データに基づいて各画素２１０Ａの有機ＥＬ素子２２１が駆動される。発光素子基板１１には、各画素２１０Ａの画素回路２２０に電源を供給する複数の電源線の各端子が形成された電源線パッド５０１〜５０４と、複数のデータ線Ｘ１〜Ｘｍの各端子が接続されたデータ線パッド４０１、４０２とが二次元に配置されている。電源線パッドとデータ線パッドの２種類のパッドが横一列ではなく、二次元に配置されているので、データ線パッド４０１、４０２の長さを大きくしてデータ線を増やすことができる。【選択図】      図１
2006235280.tif 000002
【特許請求の範囲】
【請求項１】
複数の走査線と複数のデータ線の交差に対応してマトリクス状に配置された複数の画素が形成された発光素子基板を備え、各画素の画像データに基づいて前記各画素に設けられた発光素子が駆動される表示パネルにおいて、
前記発光素子基板に、前記各画素に電源を供給する複数の電源線の各端子が形成された電源線パッドと、前記複数のデータ線の各端子が形成されたデータ線パッドとが二次元に配置されていることを特徴とする表示パネル。
【請求項２】
請求項１に記載の表示パネルにおいて、
前記電源線パッドは、前記データ線パッドの長手方向に垂直な方向にずれた位置に配置されていることを特徴とする表示パネル。
【請求項３】
請求項２に記載の表示パネルにおいて、
前記複数の画素を密封するように前記発光素子基板に接合される封止基板を含み、前記データ線パッドは、前記発光素子基板上で前記封止基板による左右の必要封止幅の間の領域全てを使って形成されていることを特徴とする表示パネル。
【請求項４】
請求項１〜３のいずれか一つに記載の表示パネルにおいて、
前記複数のデータ線を複数のブロックに分けて駆動するようになっており、前記電源線パッドと前記データ線パッドは前記ブロックごとに設けられていることを特徴とする表示パネル。
【請求項５】
複数の走査線と複数のデータ線との交差に対応してマトリクス状に配置された複数の画素が形成された発光素子基板を有する表示パネルを備え、各画素の画像データに基づいて前記各画素に設けられた発光素子を駆動する表示装置において、
前記発光素子基板に、前記各画素に電源を供給する複数の電源線の各端子が形成された電源線パッドと、前記複数のデータ線の各端子が形成されたデータ線パッドとが二次元に配置されており、
前記電源線パッドには、前記各画素に電源を供給する複数の電源供給線が形成された電源用フレキシブル配線基板の出力側端子部が電気的に接続され、前記データ線パッドには、前記複数のデータ線を駆動するドライバＩＣが実装され、前記複数のデータ線に駆動信号を供給する複数の配線が形成されたデータ用フレキシブル配線基板の出力側端子部が電気的に接続されていることを特徴とする表示装置。
【請求項６】
請求項５に記載の表示装置において、
前記電源用フレキシブル配線基板と前記データ用フレキシブル配線基板は、重なるように配置されることを特徴とする表示装置。
【請求項７】
請求項６に記載の表示装置において、
前記電源用フレキシブル配線基板と前記データ用フレキシブル配線基板のうち、前記発光素子基板に対して上側になる一方のフレキシブル配線基板は他方のフレキシブル配線基板よりも短く、該他方のフレキシブル配線基板は、長めになっていることを特徴とする表示装置。
【請求項８】
請求項７に記載の表示装置において、
前記電源用フレキシブル配線基板の入力側端子部と、前記データ用フレキシブル配線基板の入力側端子部とは、前記複数の電源供給線に電源を供給するとともに、前記複数の配線に前記各画素の画像データに応じた駆動信号を供給するパネル制御回路が形成されたパネル制御基板の異なる面にそれぞれ接続されていることを特徴とする表示装置。
【請求項９】
請求項１〜４のいずれかに記載の表示パネルを複数備え、該複数の表示パネルのうち隣合うパネルは、エレクトロルミネッセンス素子をそれぞれ有する複数の画素が二次元に配置された表示エリアの周囲の非表示エリアが平面的に重なるように配置されていることを特徴とする移動体の表示モジュール。
【発明の詳細な説明】
【技術分野】
【０００１】
本発明は、有機ＥＬパネル等の表示パネル、表示装置、および移動体の表示モジュールに関する。
【背景技術】
【０００２】
近年、有機エレクトロルミネッセンス（以下、ＥＬという。）素子を用いた有機ＥＬパネルが、低消費比電力、高視野角、高コントラスト比で他の装置より優れているとして注目されている。こうした有機ＥＬパネルを用いた有機ＥＬ表示装置として、有機ＥＬパネルとこれに接続したフレキシブル配線基板とを備え、フレキシブル配線基板にドライバＩＣを実装し、このドライバＩＣにより複数の画素の各有機ＥＬ素子を駆動するようにした電子モジュールが知られている（例えば、特許文献１の図１４参照）。このような従来の有機ＥＬ表示装置では、有機ＥＬパネルの発光素子基板には、複数のデータ線の接続端子部であるデータ線パッドと複数の電源線の接続端子部である電源線パッドとが横一列に配置されている。
【０００３】
有機ＥＬ表示装置とは駆動原理の異なる液晶表示装置では、各画素の液晶には駆動電流を流す必要がないので、電源供給用端子数が少なくてすむ。各画素の薄膜トランジスタ（ＴＦＴ）のゲートに数十ミリアンペア程度の電流を流せばよく、液晶パネルの素子基板に設ける電源線は１本或いは数本で済むので、信号線の間から電源を供給する配置をとれる。つまり、複数の信号線の端子が形成されたパッドと同じパッドに、信号線の間に電源線の端子を形成するような配置がとれる。
【０００４】
これに対して、上記特許文献１に記載されているような有機ＥＬ表示装置では、発光時に各画素の有機ＥＬ素子に数アンペア、例えば１〜２[Ａ]の電流を流す必要がある。このような大きな電流を各画素の有機ＥＬ素子に流すためには、各画素回路の電源ラインに対して多数の電源線を有機ＥＬパネルの発光素子基板上に設ける必要がある。実際には、各画素回路の電源ラインに接続される電源線はＲ（赤色），Ｇ（緑色），Ｂ（青色）の各画素ごとに１本ずつ設けられる太い帯状の電源線であるが、本数換算でいうと、Ｒ，Ｇ，Ｂの各画素ごとに２０〜３０本ずつの電源線（２０〜３０本×３）とグランド（１本）を足した本数となる。このように、有機ＥＬ表示装置では、電源線として、Ｒ，Ｇ，Ｂの各画素ごとの電源線とグランドの４種類必要で、Ｒ，Ｇ，Ｂの各画素ごとに２０〜３０本ずつ或いは太い帯状の電源線１本ずつを設ける必要がある。
【特許文献１】特開２００４−１２７９２４号公報
【発明の開示】
【発明が解決しようとする課題】
【０００５】
ところで、特許文献１に記載されているような従来の有機ＥＬ表示装置では、有機ＥＬパネルの上記データ線パッドと電源線パッドにフレキシブル配線基板の端子部を電気的に接続する場合、各パッドに異方性導電膜の接着剤を貼り付け、フレキシブル配線基板の端子部を各パッドに異方性導電膜の接着剤を介して熱圧着する。データ線パッドや電源線パッドのような接続端子部における端子のピッチ（中心間の幅）は、４０〜６０μｍが通常使われる実装端子の実装限界である。そのピッチ４０〜６０μｍは、熱圧着時における端子の位置ズレを考慮した生産技術上の限界ピッチである。このような従来の有機ＥＬ表示装置のようにデータ線パッドと電源線パッドとが横一列に配置されている構成では、高解像度例えば１２８ｐｐｉの解像度の有機ＥＬ表示装置では多数のデータ線がびっちりと詰まっているので、その間に多数の電源線を配置するのは難しい。また、有機ＥＬ表示装置の有機ＥＬパネルの解像度を上げていくほど、図１２のグラフの曲線６００で示すように
、データ線パッドのピッチ（データ線パッドピッチ）が狭まっていく。このグラフでは、横軸に有機ＥＬパネルの解像度（ＯＬＥＤパネル解像度）を、縦軸にデータ線パッドのピッチをそれぞれ示している。また、有機ＥＬパネルの輝度を高くするほど、有機ＥＬ素子にさらに大きな電流を流す必要があり、そのためには、Ｒ，Ｇ，Ｂの各画素ごとに１本ずつ設けられる太い帯状の電源線をさらに太くすることが必要となる。
【０００６】
このように有機ＥＬパネルの解像度を上げていくほど、また、輝度を高くするほど、多数のデータ線の間に多数の電源線を配置するのが困難になる。また、上述した実装端子の実装限界による制約があるため、複数のデータ線の並び方向におけるパネルサイズに対する表示エリアの割合が小さく、非表示エリアであるいわゆる額縁部が大きくなってしまうという問題があった。これらの問題は、有機ＥＬ表示装置に限らず、自発光型の発光素子を用いる表示パネルにも当てはまる。
【０００７】
本発明は、このような従来の問題点に着目してなされたもので、その目的は、高解像度で、パネルサイズに対する表示エリアの割合が大きく、高輝度の表示が可能な表示パネル、表示装置、および移動体の表示モジュールを提供することにある。
【課題を解決するための手段】
【０００８】
本発明における表示パネルは、複数の走査線と複数のデータ線の交差に対応してマトリクス状に配置された複数の画素が形成された発光素子基板を備え、各画素の画像データに基づいて前記各画素に設けられた発光素子が駆動される表示パネルにおいて、前記発光素子基板に、前記各画素に電源を供給する複数の電源線の各端子が形成された電源線パッドと、前記複数のデータ線の各端子が形成されたデータ線パッドとが二次元に配置されていることを要旨とする。
【０００９】
一般に、表示パネルの解像度を上げていくほど、データ線のピッチが狭まっていくので、各画素に電源を供給する複数の電源線を発光素子基板上に配置するのが困難になる。また、各発光素子を光らせる輝度を高くするほど発光素子に大きな電流を流す必要があり、そのためには各電源線の電流容量を大きくする必要があり、複数の電源線を発光素子基板上に配置するのがさらに困難になる。例えば、表示パネルが発光素子として有機ＥＬ素子を使った有機ＥＬパネルでは、電源線として、赤色（Ｒ），緑色（Ｇ），青色（Ｂ）の各画素ごとの電源線とグランドの４種類必要で、発光時に各画素の有機ＥＬ素子に数アンペアの電流を流す必要がある。このため、Ｒ，Ｇ，Ｂの各画素ごとに多数本ずつ或いは太い帯状の電源線１本ずつを割り当てる必要がある。このため、表示パネルの解像度を上げていくほど、データ線のピッチが狭まっていくので、複数の電源線を発光素子基板上に配置するのが困難になる。また、液晶パネルの輝度を高くするほど、有機ＥＬ素子にさらに大きな電流を流す必要があり、そのためには、Ｒ，Ｇ，Ｂの各画素ごとに１本ずつ設けられる太い帯状の電源線をさらに太くしたり、或いはＲ，Ｇ，Ｂの各画素ごとに多数本ずつ割り当てる電源線の本数を増やす必要があるので、複数の電源線を発光素子基板上に配置するのが困難になる。
【００１０】
本発明によれば、電源線パッドとデータ線パッドの２種類のパッドが横一列ではなく、二次元に配置されているので、これら２種類のパッドが横一列に配置されている場合よりも、データ線パッドの長さを長くしてデータ線を増やすことができる。また、各画素ごとに太い帯状の電源線が１本ずつ割り当てられる場合には各画素ごとの電源線をより太くすることができ、各画素ごとに多数本ずつ電源線が割り当てられる場合には電源線の本数を増やすことができる。
【００１１】
データ線を増やせることで、画素数を増やして解像度を上げることができるとともに、データ線の並び方向のパネルサイズに対する表示エリアの割合を大きくすることができ、
非表示エリアの幅（いわゆる額縁幅）を小さくすることができる。非表示エリアの幅を小さくすることができることにより、例えば複数の表示パネルを隣合うパネルの非表示エリアが重なるように配置し、複数の表示パネルにより車両のスピードメータ、タコメータ、カーナビゲーション装置の地図画面等の異なる画像を表示させる場合、通常のメータに近い表示が可能となる。また、電源線の本数を多く或いは電源線を太くすることができるので、表示パネルの高輝度化を図れる。したがって、高解像度で、パネルサイズに対する表示エリアの割合が大きく、高輝度の表示が可能な表示パネルを実現できる。
【００１２】
この表示パネルにおいて、前記電源線パッドは、前記データ線パッドの長手方向に垂直な方向にずれた位置に配置されていることを要旨とする。これによれば、データ線パッドを最大限に長くすることができるので、解像度をさらに上げることができるとともに、輝度をさらに高くすることができる。
【００１３】
この表示パネルにおいて、前記複数の画素を密封するように前記発光素子基板に接合される封止基板を含み、前記データ線パッドは、前記発光素子基板上で前記封止基板による左右の必要封止幅の間の領域（左右の必要封止幅を除いた領域）全てを使って形成されていることを要旨とする。これによれば、データ線パッドの間には電源線パッドは無いので、データ線パッドを、発光素子基板上で封止基板による左右の必要封止幅の間の領域全てを使って長く取ることができるので、解像度をさらに上げることができるとともに、輝度をさらに高くすることができる。
【００１４】
この表示パネルにおいて、前記複数のデータ線を複数のブロックに分けて駆動するようになっており、前記電源線パッドと前記データ線パッドは前記ブロックごとに設けられていることを要旨とする。これによれば、解像度の高い表示パネルで複数のデータ線を複数のブロックに分けて駆動する場合にも、高解像度で、パネルサイズに対する表示エリアの割合が大きく、高輝度の表示が可能な表示パネルを実現できる。
【００１５】
本発明における表示装置は、複数の走査線と複数のデータ線との交差に対応してマトリクス状に配置された複数の画素が形成された発光素子基板を有する表示パネルを備え、各画素の画像データに基づいて前記各画素に設けられた発光素子を駆動する表示装置において、前記発光素子基板に、前記各画素に電源を供給する複数の電源線の各端子が形成された電源線パッドと、前記複数のデータ線の各端子が形成されたデータ線パッドとが二次元に配置されており、前記電源線パッドには、前記各画素に電源を供給する複数の電源供給線が形成された電源用フレキシブル配線基板の出力側端子部が電気的に接続され、前記データ線パッドには、前記複数のデータ線を駆動するドライバＩＣが実装され、前記複数のデータ線に駆動信号を供給する複数の配線が形成されたデータ用フレキシブル配線基板の出力側端子部が電気的に接続されていることを要旨とする。
【００１６】
これによれば、電源線パッドとデータ線パッドの２種類のパッドが二次元に配置されているので、これら２種類のパッドが横一列に配置されている場合よりも、データ線パッドの長さを長くしてデータ線を増やすことができる。また、各画素ごとに太い帯状の電源線が１本ずつ割り当てられる場合には各画素ごとの電源線をより太くすることができ、各画素ごとに多数本ずつ電源線が割り当てられる場合には電源線の本数を増やすことができる。そのため、高解像度で、パネルサイズに対する表示エリアの割合が大きく、高輝度の表示が可能な表示装置を実現できる。
【００１７】
この表示装置において、前記電源用フレキシブル配線基板と前記データ用フレキシブル配線基板は、重なるように配置されることを要旨とする。これによれば、電源用フレキシブル配線基板とデータ用フレキシブル配線基板を重ねたものを１組の配線基板とすると、解像度の高い表示パネルで複数のデータ線を分けるブロック数を多くする場合、そのブロ
ック数と同じ組数の配線基板を発光素子基板に並べて接続できる。これにより、電源用フレキシブル配線基板とデータ用フレキシブル配線基板を複数組設ける場合でも、これらの配線基板をコンパクトに配置した解像度の高い表示パネルを実現できる。
【００１８】
この表示装置において、前記電源用フレキシブル配線基板と前記データ用フレキシブル配線基板のうち、前記発光素子基板に対して上側になる一方のフレキシブル配線基板は他方のフレキシブル配線基板よりも短く、該他方のフレキシブル配線基板は、長めになっていることを要旨とする。これによれば、上側になる一方のフレキシブル配線基板は折り曲げたときにその長さで納まり、下側になる他方のフレキシブル配線基板は折り曲げたときに多少たるみがあるので、実装位置やコネクタ位置が多少ずれても、そのずれをたるみで吸収できる。これにより、電源用フレキシブル配線基板やデータ用フレキシブル配線基板の製造や発光素子基板への実装作業が容易になり、製品歩留まりが向上する。
【００１９】
この表示装置において、前記電源用フレキシブル配線基板の入力側端子部と、前記データ用フレキシブル配線基板の入力側端子部とは、前記複数の電源供給線に電源を供給するとともに、前記複数の配線に前記各画素の画像データに応じた駆動信号を供給するパネル制御回路が形成されたパネル制御基板の異なる面にそれぞれ接続されていることを要旨とする。これによれば、電源用フレキシブル配線基板の入力側端子部とデータ用フレキシブル配線基板の入力側端子部とを、パネル制御基板の異なる面にそれぞれ接続でき、その接続作業が容易になる。例えば、パネル制御基板の上下の面にそれぞれコネクタを設けておき、その一方のコネクタに電源用フレキシブル配線基板の入力側端子部を差し込み、その他方のコネクタにデータ用フレキシブル配線基板の入力側端子部を差し込めばよく、各コネクタに各フレキシブル配線基板の入力側端子部を差す作業性がよくなる。
【００２０】
本発明における移動体の表示モジュールは、上記表示パネルを複数備え、該複数の表示パネルのうち隣合うパネルは、エレクトロルミネッセンス素子をそれぞれ有する複数の画素が二次元に配置された表示エリアの周囲の非表示エリアが平面的に重なるように配置されていることを要旨とする。これによれば、非表示エリアの幅を小さくすることができる複数の表示パネルを用いて、複数の表示パネルを隣合うパネルの非表示エリアが平面的に重なるように配置することで、複数の表示パネルにより車両のスピードメータ、タコメータ、カーナビゲーション装置の地図画面等の異なる画像を表示させる場合、通常のメータに近い表示が可能となる。また、複数の表示パネルの各々で、パネルサイズに対する表示エリアの割合が大きく、高輝度の表示が可能な移動体の表示モジュールを実現できる。
【発明を実施するための最良の形態】
【００２１】
以下、本発明を具体化した各実施形態を、図面に基づいて説明する。なお、各実施形態の説明において同様の部位には同一の符号を付して重複した説明を省略する。
（第１実施形態）
第１実施形態に係る表示パネルおよびこれを用いた表示装置を図１〜図４に基づいて説明する。
【００２２】
第１実施形態に係る表示装置は、表示パネルとして有機ＥＬパネル２を用いた有機ＥＬ表示装置１である。有機ＥＬパネル２は、図１および図２に示すように、自発光型の発光素子としてエレクトロルミネッセンス素子である有機ＥＬ素子２２１をそれぞれ有する複数の画素２１０Ａがマトリクス状に配置された発光素子基板１１と、複数の画素２１０Ａを密封するように発光素子基板１１に接合された封止基板１２とを備える。有機ＥＬパネル２は、各画素２１０Ａの画像データに基づいて各画素２１０Ａの有機ＥＬ素子２２１が駆動される。図１で符号１４は、複数の画素２１０Ａがマトリクス状に配置された表示エリアであり、符号１５はいわゆる額縁（非表示エリア）である。
【００２３】
発光素子基板１１には、図１では図示を省略してあるが、陽極として機能する矩形状の画素電極がマトリクス状に形成されており、各画素電極上に、例えば、正孔注入／輸送層と発光層とが順次積層形成され、発光層が形成された基板のほぼ全面に渡って陰極が形成されている。また、各画素電極には、薄膜トランジスタ（ＴＦＴ）等が電気的に接続されており、各画素電極、その上に形成された正孔注入／輸送層、発光層、および陰極により、各画素２１０Ａの4有機ＥＬ素子２２１が構成されている。なお、図１では複数の画素
２１０Ａのうちの一つのみを示してある。
【００２４】
また、発光素子基板１１上には、各画素２１０Ａの画素回路２２０に電源を供給する複数の電源線の各端子が形成された電源線パッド５０１〜５０４と、複数のデータ線Ｘ１〜Ｘｍの各端子が接続されたデータ線パッド４０１、４０２とが二次元に配置されている。データ線パッド４０１，４０２は発光素子基板１１の実装側端部（図１で下方の端部）に横に並んで配置されており、電源線パッド５０１〜５０４は発光素子基板１１の実装側端部側から見てデータ線パッド４０１，４０２よりも奥にそれぞれ配置されている。
【００２５】
つまり、電源線パッド５０１〜５０４は、データ線パッド４０１，４０２の間に設けられておらず、データ線パッド４０１，４０２の長手方向（図１で左右方向）に垂直な方向にずれた位置に配置されている。このようにデータ線パッド４０１，４０２が配置されている発光素子基板１１の実装側端部には、電源線パッド５０１〜５０４は無いので、データ線パッド４０１，４０２は、発光素子基板１１上で封止基板１２による左右の必要封止幅（ガスバリア必要幅）Ｄｇの間の領域（左右の必要封止幅を除いた領域）全てを使って形成されている。
【００２６】
また、有機ＥＬパネル２は、複数のデータ線Ｘ１〜Ｘｍを複数のブロック、本例では２つのブロックに分けて駆動されるようになっている。すなわち、各行のｍ個の画素２１０Ａの各有機ＥＬ素子２２１が、２つのブロックに分けて駆動されるようになっている。そのため、電源線パッド５０１〜５０４とデータ線パッド４０１，４０２は各ブロックごとに設けられている。つまり、第１ブロックにはデータ線パッド４０１と２つの電源線パッド５０１，５０２が、第２ブロックにはデータ線パッド４０２と２つの電源線パッド５０３，５０４がそれぞれ設けられている。
【００２７】
各ブロックごとに設けられた電源線は、パネル内部にて電源やグランドが接続されているタイプもある。
電源線パッド５０１，５０２は、発光素子基板１１の実装側端部側から見てデータ線パッド４０１よりも奥にあって、データ線パッド４０１の両端部に対応する位置に配置されている。また、電源線パッド５０３，５０４も、発光素子基板１１の実装側端部側から見てデータ線パッド４０２よりも奥にあって、データ線パッド４０２の両端部に対応する位置に配置されている（図１参照）。
【００２８】
データ線パッド４０１には、第１ブロックのデータ線Ｘ１〜Ｘ（ｍ／２）の各端子が形成されている。データ線パッド４０２には、第２のブロックのデータ線Ｘ（ｍ／２＋１）〜Ｘｍの各端子が形成されている。つまり、データ線パッド４０１、４０２には、ｍ／２本のデータ線の端子がそれぞれ形成されている。
【００２９】
電源線パッド５０１には、各行における、第１ブロックのデータ線Ｘ１〜Ｘ（ｍ／２）の半分のデータ線Ｘ１〜Ｘ（ｍ／４）にそれぞれ対応するｍ／４個の画素２１０Ａに含まれるＲ，Ｇ，Ｂの各画素２１０Ａごとに画素回路２２０の電源ラインに接続される３本の電源線と、グランドの４本の電源線の各端子が形成されている。前記３本の電源線は、Ｒ，Ｇ，Ｂごとに分離せずに、１本にしても良い。また、前記４本の電源線はそれぞれ太い帯状の電源線である。
【００３０】
電源線パッド５０２には、各行における、第１ブロックのデータ線Ｘ１〜Ｘ（ｍ／２）の残り半分のデータ線Ｘ（ｍ／４＋１）〜Ｘ（ｍ／２）にそれぞれ対応するｍ／４個の画素２１０Ａに含まれるＲ，Ｇ，Ｂの各画素２１０Ａごとに画素回路２２０の電源ラインに接続される３本の電源線と、グランドの４本の電源線の各端子が形成されている。
【００３１】
電源線パッド５０３には、各行における、第２ブロックのデータ線Ｘ（ｍ／２＋１）〜Ｘ（ｍ）の半分のデータ線Ｘ（ｍ／２＋１）〜Ｘ（３ｍ／４）にそれぞれ対応するｍ／４個の画素２１０Ａに含まれるＲ，Ｇ，Ｂの各画素２１０Ａごとに画素回路２２０の電源ラインに接続される３本の電源線と、グランドの４本の電源線の各端子が形成されている。
【００３２】
同様に、電源線パッド５０４には、各行における、第２ブロックのデータ線Ｘ（ｍ／２＋１）〜Ｘ（ｍ）の残り半分（３ｍ／４＋１）〜Ｘ（ｍ）にそれぞれ対応するｍ／４個の画素２１０Ａに含まれるＲ，Ｇ，Ｂの各画素２１０Ａごとに画素回路２２０の電源ラインに接続される３本の電源線と、グランドの４本の電源線の各端子が形成されている。
【００３３】
図１に示す有機ＥＬ表示装置１は、上述した構成を有する有機ＥＬパネル２と、このパネルに接続される４つのフレキシブル配線基板とを備える。これら４つのフレキシブル配線基板として、２つのデータ用フレキシブル配線基板２０１，２０２と、２つの電源用フレキシブル配線基板３０１，３０２とが設けられている。
【００３４】
電源用フレキシブル配線基板３０１，３０２には、各画素２１０Ａの画素回路２２０に電源を供給する複数の電源供給線３０１ａ，３０２ａがそれぞれ形成されている。電源用フレキシブル配線基板３０１は、一つの入力側端子部３０１ｂと、二股に分かれた２つの出力側端子部３０１ｃ、３０１ｄとを有する形状になっている。同様に、電源用フレキシブル配線基板３０２は、一つの入力側端子部３０２ｂと、二股に分かれた２つの出力側端子部３０２ｃ、３０２ｄとを有する形状になっている。
【００３５】
一方、データ用フレキシブル配線基板２０１，２０２には、２つのブロックのデータ線Ｘ１〜Ｘ（ｍ／２），Ｘ（ｍ／２＋１）〜Ｘｍをそれぞれ駆動するデータ線駆動回路としてのドライバＩＣ１０３ａ，１０３ｂが実装されている。また、データ用フレキシブル配線基板２０１，２０２には、複数の入力側配線２０１ａ，２０２ａと、複数の出力側配線２０１ｂ，２０２ｂが形成されている。
【００３６】
電源線パッド５０１，５０２には、図１および図２に示すように、電源用フレキシブル配線基板３０１の出力側端子部３０１ｃ、３０１ｄが、異方性導電膜の接着剤を介して熱圧着することで電気的に接続される。同様に、電源線パッド５０３，５０４には、電源用フレキシブル配線基板３０２の出力側端子部３０２ｃ、３０２ｄが、異方性導電膜の接着剤を介して熱圧着することで電気的に接続される。
【００３７】
一方、データ線パッド４０１，４０２には、図１および図２に示すように、データ用フレキシブル配線基板２０１，２０２の出力側端子部２０１ｄ、２０２ｄが、異方性導電膜の接着剤を介して熱圧着することで電気的に接続される。
【００３８】
こうして、図２に示すように、電源用フレキシブル配線基板３０１とデータ用フレキシブル配線基板２０１、および電源用フレキシブル配線基板３０２とデータ用フレキシブル配線基板２０２が、それぞれ重なるように配置される。
【００３９】
また、電源用フレキシブル配線基板３０１とデータ用フレキシブル配線基板２０１のうち、発光素子基板１１に対して上側になる電源用フレキシブル配線基板３０１は下側にな
るデータ用フレキシブル配線基板２０１よりも短く、データ用フレキシブル配線基板２０１は長めになっている。同様に、互いに重なる２枚のフレキシブル配線基板のうち、電源用フレキシブル配線基板３０２とデータ用フレキシブル配線基板２０２のうち、発光素子基板１１に対して上側になる電源用フレキシブル配線基板３０２は下側になるデータ用フレキシブル配線基板２０２よりも短く、データ用フレキシブル配線基板２０１は長めになっている。
【００４０】
また、電源用フレキシブル配線基板３０１，３０２の各入力側端子部３０１ｂ，３０２ｂは、図２に示すように、パネル制御基板１０１の一方の面１０１ａに設けられたコネクタ１２５，１２６にそれぞれ差し込まれて、このパネル制御基板１０１に設けられた回路と電気的に接続されるようになっている。このパネル制御基板１０１には、外部回路から送られる制御信号、表示用画像データ、電源信号を使って有機ＥＬパネル２に表示をさせるための信号として、制御信号Ｏ、ドライブデータＰ、パネル電源Ｑをそれぞれ出力するパネル制御回路１００が設けられている（図１および図３参照）。このパネル制御回路１００は、複数の電源供給線３０１ａ，３０２ａにパネル電源Ｑを供給し、複数の入力側配線２０１ａ，２０２ａに各画素の画像データに応じたドライブデータ（駆動信号）Ｐを供給し、各データ用フレキシブル配線基板２０１，２０２の制御信号線（図示省略）に制御信号Ｏを出力するようになっている。
【００４１】
一方、データ用フレキシブル配線基板２０１，２０２の入力側端子部２０１ｃ、２０２ｃは、パネル制御基板１０１の他方の面１０１ｂに設けられたコネクタ（図示省略）にそれぞれ差し込むことで、入力側端子部２０１ｃ、２０２ｃがパネル制御回路１００と電気的に接続されるようになっている。
【００４２】
このように、電源用フレキシブル配線基板３０１，３０２の入力側端子部３０１ｂ，３０２ｂと、データ用フレキシブル配線基板２０１,２０２の入力側端子部２０１ｃ，２０
２ｃとは、パネル制御回路１００が形成されたパネル制御基板１０１の異なる面１０１ａ，１０１ｂに設けられたコネクタとそれぞれ電気的に接続される。
【００４３】
次に、有機ＥＬパネル２を備えた有機ＥＬ表示装置１の電気的構成を、図３および図４に基づいて説明する。
図３に示す有機ＥＬ表示装置１は、電流プログラム方式を採用している。この有機ＥＬ表示装置１は、有機ＥＬパネル２、データ線駆動回路として構成された２つのドライバＩＣ１０３ａ，１０３ｂ、走査線駆動回路１０６Ｌ，１０６Ｒ、及びパネル制御回路１００を備えている。
【００４４】
有機ＥＬパネル２は、図３に示すように、行方向に延びるｎ本の第１走査線Ｙ１〜Ｙｎ（ｎは整数）と列方向に延びるｍ本のデータ線Ｘ１〜Ｘｍ（ｍは整数）との交差に対応する個所にｎ行ｍ列に配列された複数の画素２１０Ａを有している。また、有機ＥＬパネル２は、行方向に延びるｎ本の第２走査線Ｙ１１〜Ｙｎ１を有している。複数の画素２１０Ａは、例えば、Ｒ，Ｇ，Ｂの順に赤用画素，緑用画素及び青用画素が配置されている。
【００４５】
また、複数のデータ線Ｘ１〜Ｘｍを２つのブロックに分けて、各ブロックのデータ線を２つのドライバＩＣ１０３ａ，１０３ｂで分担して駆動するようになっている。ドライバＩＣ１０３ａはデータ線Ｘ１〜Ｘ（ｍ／２）を、ドライバＩＣ１０３ｂはデータ線Ｘ（ｍ／２＋１）〜Ｘｍをそれぞれ駆動するようになっている。
【００４６】
走査線駆動回路１０６Ｌは、外部供給される同期信号Ｓｙｎｃ、クロック信号ｃｌｏｃｋに応じたタイミングで、Ｈレベルのプログラム期間選択信号Ｖｐｒｇ（図４（ａ），（ｂ）参照）を順に生成して出力することで、第１走査線Ｙ１〜Ｙｎを線順次走査により一
つずつ順に選択するようになっている。図４（ｂ）では、第１走査線Ｙ１〜Ｙｎのうち、第１行目の第１走査線Ｙ１にプログラム期間選択信号Ｖｐｒｇが出力されるプログラム期間（ｔ１時点からｔ２時点までの期間）のみを示してある。
【００４７】
走査線駆動回路１０６Ｒは、外部供給される同期信号Ｓｙｎｃ、クロック信号ｃｌｏｃｋに応じたタイミングで、Ｈレベルの発光期間選択信号Ｖｒｅｐ（図４（ｂ）参照）を順に生成して出力することで、第２走査線Ｙ１１〜Ｙｎ１を線順次走査により一つずつ順に選択するようになっている。なお、図４（ｂ）では、第２走査線Ｙ１１〜Ｙｎ１のうち、第１行目の第２走査線Ｙ１１にＨレベルの発光期間選択信号Ｖｒｅｐが出力される発光期間（ｔ２時点からｔ３時点までの期間）のみを示してある。そして、ドライバＩＣ１０３ａ，１０３ｂは、上記プログラム期間に、選択された１本の第１走査線に接続された各画素回路２２０に、データ線Ｘ１〜Ｘｍをそれぞれ介してプログラム信号電流Ｉｓｉｇ（図４（ｂ）参照）を一斉に供給するようになっている。
【００４８】
各プログラム信号電流Ｉｓｉｇは、階調表示のためのｎビットのデジタル階調データである赤用，緑用及び青用の各画素の画像データを各ドライバＩＣ１０３ａ，１０３ｂ内でＤ−Ａ変換した電流信号である。本例では、各画素２１０Ａの画像データは、各画素の明るさを８ビットの２進数で表わすデジタル階調データであり、０〜２５５の２５６段階の階調値をとる。
【００４９】
各ドライバＩＣ１０３ａ，１０３ｂは、図４に示すように、プログラム信号電流Ｉｓｉｇをデータ線Ｘ１〜Ｘｍを介して各画素回路２２０に書き込むためのデータ書き込み回路（サンプリング回路）、データ書き込み回路の動作タイミングをコントロールするシフトレジスタ、ラッチ回路、及びデジタル／アナログ変換器等を備える。ラッチ回路は、各画素の画像データを各画素ごとに設けたデータメモリ（図示省略）に格納して１行分の画像データを保持し、上記プログラム期間に、各データメモリに格納した画像データが一斉に読み出されてデジタル／アナログ変換器へ出力されるようになっている。
【００５０】
本実施形態では、走査線駆動回路を２つ用いているが、走査線駆動回路を一つにして、２つのブロックを同時に駆動しても良い。
上述した赤用画素、緑用画素及び青用画素の各画素回路２２０は、有機半導体材料で構成された発光層から赤色，緑色および青色の光をそれぞれ放射する有機ＥＬ素子２２１を有している。各画素回路２２０は、各々の有機ＥＬ素子２２１から放射される光の色が異なる以外は、同じ回路構成である。
【００５１】
画素回路２２０の構成を図４（ａ）に基づいて説明する。
画素回路２２０は、駆動トランジスタＴｄｒ、プログラム用トランジスタＴｐｒｇ、プログラム時選択トランジスタＴｓｉｇ、発光時選択トランジスタＴｒｅｐ及び保持容量Ｃｓｔｇを有している。駆動トランジスタＴｄｒはＰチャネルＴＦＴで構成されている。プログラム用トランジスタＴｐｒｇ、プログラム時選択トランジスタＴｓｉｇ及び発光時選択トランジスタＴｒｅｐは、ＮチャネルＴＦＴでそれぞれ構成されている。
【００５２】
駆動トランジスタＴｄｒのドレインは発光時選択トランジスタＴｒｅｐを介して有機ＥＬ素子２２１の陽極に接続され、有機ＥＬ素子２２１の陰極は接地されている。また、駆動トランジスタＴｄｒのドレインはプログラム時選択トランジスタＴｓｉｇを介して１つのデータ線（図４（ａ）ではデータ線Ｘ１）に接続されている。また、駆動トランジスタＴｄｒのソースは高電位電源Ｖｄｄが上記電源線を介して供給される電源ライン２３０に接続されている。実際には、各画素回路２２０の電源ライン２３０に接続される電源線は、Ｒ，Ｇ，Ｂの各画素（赤用画素，緑用画素及び青用画素）ごとに１本ずつ設けられる太い帯状の電源線である。
【００５３】
さらに、駆動トランジスタＴｄｒのゲートは保持容量Ｃｓｔｇの第１の電極に接続され、その保持容量Ｃｓｔｇの第２の電極は高電位電源Ｖｄｄに接続されている。プログラム用トランジスタＴｐｒｇは、駆動トランジスタＴｄｒのゲート・ドレイン間に接続されている。
【００５４】
プログラム時選択トランジスタＴｓｉｇ及びプログラム用トランジスタＴｐｒｇの各ゲートは、第１走査線の１つ（同図ではＹ１）に接続されている。そして、プログラム時選択トランジスタＴｓｉｇ及びプログラム用トランジスタＴｐｒｇは、第１走査線Ｙ１からのＨレベルのプログラム期間選択信号Ｖｐｒｇに応答してオン状態となり、ＬレベルのＶｐｒｇに応答してオフ状態となる。そして、本実施形態では、プログラム時選択トランジスタＴｓｉｇ及びプログラム用トランジスタＴｐｒｇがオン状態となると、データ線Ｘ１に上記プログラム信号電流Ｉｓｉｇが供給されるようになっている。
【００５５】
発光時選択トランジスタＴｒｅｐのゲートは、第２走査線の１つ（同図ではＹ１１）に接続されている。また、発光時選択トランジスタＴｒｅｐは、第２走査線Ｙ１１からのＨレベルの発光期間選択信号Ｖｒｅｐに応答してオン状態となり、ＬレベルのＶｒｅｐに応答してオフ状態となる。そして、発光時選択トランジスタＴｒｅｐがオン状態になると、駆動トランジスタＴｄｒのオン状態に基づく駆動トランジスタ供給電流ＩｄｒをＯＬＥＤ供給電流Ｉｏｌｅｄとして有機ＥＬ素子２２１に供給するようになっている。
【００５６】
次に、各画素回路２２０の動作を、図４（ｂ）に基づいて簡単に説明する。
１．プログラム期間
いま、第１走査線Ｙ１からＨレベルのプログラム期間選択信号Ｖｐｒｇが供給されると、プログラム用トランジスタＴｐｒｇ及びプログラム時選択トランジスタＴｓｉｇはオン状態に設定される。このとき、第２走査線Ｙ１１からＬレベルの発光期間選択信号Ｖｒｅｐが供給されていて、発光時選択トランジスタＴｒｅｐはオフ状態に設定されている。このとき、データ線Ｘ１にプログラム信号電流Ｉｓｉｇが供給される。そして、プログラム用トランジスタＴｐｒｇがオン状態になることによって駆動トランジスタＴｄｒはダイオード接続となる。その結果、そのプログラム信号電流Ｉｓｉｇが、駆動トランジスタＴｄｒ→プログラム時選択トランジスタＴｓｉｇ→データ線Ｘ１という経路で流れる。このとき、駆動トランジスタＴｄｒのゲートの電位に対応した電荷が保持容量Ｃｓｔｇに蓄積される。
【００５７】
２．発光期間
この状態から、プログラム期間選択信号ＶｐｒｇがＬレベルとなり、発光期間選択信号ＶｒｅｐがＨレベルとなると、プログラム用トランジスタＴｐｒｇ及びプログラム時選択トランジスタＴｓｉｇがオフ状態に設定され、発光時選択トランジスタＴｒｅｐはオン状態に設定される。このとき、保持容量Ｃｓｔｇの電荷の蓄積状態は変化しないので、駆動トランジスタＴｄｒのゲート電位は、プログラム信号電流Ｉｓｉｇが流れたときの電圧に保持されている。従って、駆動トランジスタＴｄｒのソース・ドレイン間には、そのゲート電圧に応じた大きさの駆動トランジスタ供給電流Ｉｄｒ（ＯＬＥＤ供給電流Ｉｏｌｅｄ）が流れる。詳しくは、ＯＬＥＤ供給電流Ｉｏｌｅｄは、駆動トランジスタＴｄｒ→発光時選択トランジスタＴｒｅｐ→有機ＥＬ素子２２１という経路で流れる。これによって、有機ＥＬ素子２２１は、ＯＬＥＤ供給電流Ｉｏｌｅｄ（プログラム信号電流Ｉｓｉｇ）に応じた輝度で発光する。
【００５８】
このような動作が、第１走査線Ｙ２〜Ｙｎにそれぞれ接続された各画素回路２２０において順に行われて１フレーム分の表示がなされる。
このように、本実施形態に係る有機ＥＬ表示装置１は、マトリクス状に配置された複数
の画素２１０Ａを備え、各画素２１０Ａに設けた有機ＥＬ素子２２１が８ビットのデジタル階調データである赤用，緑用及び青用の各画素の画像データに基づき駆動される。
【００５９】
以上のように構成された第１実施形態によれば、以下の作用効果を奏する。
○発光素子基板１１に、電源線パッド５０１〜５０４とデータ線パッド４０１、４０２とが二次元に配置されている。このように、電源線パッドとデータ線パッドの２種類のパッドが横一列ではなく、二次元に配置されているので、これら２種類のパッドが横一列に配置されている場合よりも、データ線パッド４０１、４０２の長さ（幅）を大きくしてデータ線を増やすことができる。また、Ｒ，Ｇ，Ｂの各画素ごとに太い帯状の電源線が１本ずつ割り当てられる場合には各画素ごとの電源線をより太くすることができる。
【００６０】
○データ線を増やせることで、画素数を増やして解像度を上げることができるとともに、データ線の並び方向のパネルサイズに対する表示エリアの割合を大きくすることができ、非表示エリアの幅（いわゆる額縁幅）を小さくすることができる。
【００６１】
○非表示エリアの幅を小さくすることができることにより、例えば複数の表示パネルを隣合うパネルの非表示エリアが重なるように配置し、複数の表示パネルにより車両のスピードメータ、タコメータ、カーナビゲーション装置の地図画面等の異なる画像を表示させる場合、通常のメータに近い表示が可能となる。
【００６２】
○Ｒ，Ｇ，Ｂの各画素ごとの電源線をより太くすることができるので、有機ＥＬパネル２の高輝度化を図れる。
○高解像度で、パネルサイズに対する表示エリアの割合が大きく、高輝度の表示が可能な有機ＥＬ表示パネルを実現できる。
【００６３】
○電源線パッド５０１〜５０４は、データ線パッド４０１，４０２の長手方向に垂直な方向にずれた位置に配置されている。これにより、データ線パッド４０１，４０２を最大限に長くすることができるので、解像度をさらに上げることができるとともに、輝度をさらに高くすることができる。
【００６４】
（第２実施形態）
第２実施形態に係る有機ＥＬパネル２Ａおよびこれを用いた有機ＥＬ表示装置１Ａを図５に基づいて説明する。
【００６５】
この有機ＥＬパネル２Ａは、複数のデータ線Ｘ１〜Ｘｍを４つのブロックに分けて駆動されるようになっている。そのため、この有機ＥＬパネル２Ａの発光素子基板１１には、データ線パッドと電源線パッドが各ブロックごとに設けられている。つまり、発光素子基板１１には、４つのデータ線パッド４０１〜４０４と、各データ線パッドに２つずつ、合計８つの電源線パッド５０１〜５０８とが設けられている。電源線パッド５０１〜５０８と、データ線パッド４０１、４０２とは、上記第１実施形態と同様に二次元に配置されている。
【００６６】
図５に示す電源用フレキシブル配線基板３０３，３０４は、上述した電源用フレキシブル配線基板３０１，３０２と同様の構成を有し、一つの入力側端子部３０３ｂ,３０４ｂ
と、二股に分かれた２つの出力側端子部３０３ｃ、３０３ｄ，３０４ｃ、３０４ｄとを有する。電源用フレキシブル配線基板３０３の出力側端子部３０３ｃ，３０３ｄは電源用パッド５０５，５０６と電気的に接続され、電源用フレキシブル配線基板３０４の出力側端子部３０４ｃ，３０４ｄは電源用パッド５０７，５０８と電気的に接続される。また、電源用フレキシブル配線基板３０３，３０４の入力側端子部３０３ｂ,３０４ｂは、電源用
フレキシブル配線基板３０１，３０２の入力側端子部３０１ｂ,３０２ｂが接続されるコ
ネクタ１２５，１２６と同様のコネクタ（図示省略）に差し込まれるようになっている。
【００６７】
一方、データ用フレキシブル配線基板２０３，２０４には、データ用フレキシブル配線基板２０１，２０２と同様に、第３ブロック，第４ブロックのデータ線をそれぞれ駆動するデータ線駆動回路としてのドライバＩＣ１０３ｃ，１０３ｄが実装されている。また、データ用フレキシブル配線基板２０３，２０４には、データ用フレキシブル配線基板２０１，２０２と同様に、複数の入力側配線（図示省略）と複数の出力側配線（図示省略）とが形成されている。また、データ用フレキシブル配線基板２０３，２０４の出力側端子部２０３ｄ，２０４ｄは、データ用フレキシブル配線基板２０１，２０２の出力側端子部２０１ｄ，２０２ｄと同様に、データ線パッド４０３，４０４と電気的に接続される。そして、データ用フレキシブル配線基板２０３，２０４の入力側端子部２０３ｃ、２０４ｃは、データ用フレキシブル配線基板２０１，２０２の入力側端子部２０１ｃ，２０２ｃと同様のコネクタに接続されるようになっている。
【００６８】
以上のように構成された第２実施形態によれば、上記第１実施形態の奏する作用効果に加えて以下の作用効果を奏する。
○各行における画素数の大きい大型の有機ＥＬパネルにおいて、解像度を上げることができ、パネルサイズに対する表示エリアの割合を大きすることができ、高輝度化を図ることができる。
【００６９】
（移動体の表示モジュール）
次に、上記有機ＥＬパネル２を複数用いて構成される移動体の表示モジュールの一実施形態を図６〜図１０に基づいて説明する。図６は移動体の表示モジュールのパネル配置を、図７は同表示モジュール全体の電気的構成をそれぞれ示している。なお、本実施形態では、図１に示す上記有機ＥＬパネル２を３つ用いて構成した移動体の表示モジュールを一例として説明する。
【００７０】
移動体の表示モジュール３では、図６に示すように、上記有機ＥＬパネル２を３つ備え、３つの有機ＥＬパネル２のうち真中の有機ＥＬパネル２は横向きに、左右の有機ＥＬパネル２は縦向きに配置している。
【００７１】
この移動体の表示モジュール３は、図７に示すように、有機ＥＬパネル２をそれぞれ有する３つのパネルアッセンブリＡ，Ｂ，Ｃを備える。また、移動体の表示モジュール３は、３つのパネルアッセンブリＡ，Ｂ，Ｃを備えたパネルユニットＰＵと、画像制御ユニットＣＵとを備える。この画像制御ユニットＣＵは、移動体情報データとしての車情報データおよび画像データに基づいて複数の表示用画像データを作成し、これらの画像データを出力する複数の出力端子として複数の出力ポートＲ１，Ｒ２，Ｒ３・・・、Ｓ１，Ｓ２，Ｓ３・・・、およびＵを備える。移動体の表示モジュール３は、画像制御ユニットＣＵの複数の出力ポートにパネルアッセンブリＡ，Ｂ，Ｃがそれぞれ電気的に接続され、３つの有機ＥＬパネル２の各々に、複数の出力ポートから出力される複数の表示用画像データに基づき異なる表示をさせるようになっている。
【００７２】
また、移動体の表示モジュール３は、一つの表示例として、図１０に示すように、真中の有機ＥＬパネル２には移動体としての自動車等の車両の車速を表わすスピードメータを、右側の有機ＥＬパネル２には車両のエンジン回転数を表わすタコメータを表示させる。そして、左側の有機ＥＬパネル２にはカーナビゲーション装置の地図情報等を表示させるようになっている。
【００７３】
（パネルアッセンブリの電気的構成）
各パネルアッセンブリＡ，Ｂ，Ｃは、図７および図８に示すように、車情報データおよ
び画像データに基づいてそれぞれ作成された複数の表示用画像データを使って各有機ＥＬパネル２に表示をさせるパネル制御回路１００Ａが設けられたパネル制御基板１０１をそれぞれ備える。本例では、一例として、車情報データおよび画像データを画像処理する画像処理回路や電源回路が画像制御ユニットＣＵ側に設けられているので、各パネル制御回路１００Ａは画像制御ユニットＣＵから送られる複数の表示用画像データを使って３つの有機ＥＬパネル２の各々に表示をさせる。
【００７４】
各パネルアッセンブリＡ，Ｂ，Ｃのパネル制御回路１００Ａは、３つの有機ＥＬパネル２の輝度のばらつきを補正するための輝度補正データが格納された記憶手段としてのＥＥＰＲＯＭ１０２をそれぞれ備える。移動体の表示モジュール３は、電源投入時に、各ＥＥＰＲＯＭ１０２に格納された輝度補正データを使って各有機ＥＬパネル２の輝度が自動で調整されるようになっている。
【００７５】
また、各パネル制御回路１００Ａは、画像制御ユニットＣＵから送られる複数の表示用画像データを使って各有機ＥＬパネル２に表示をさせるための信号として、制御信号Ｏ、ドライブデータＰ、パネル電源Ｑをそれぞれ出力する複数の出力端子を有する。これら複数の出力端子（図示省略）は、上記ドライバＩＣ１０３ａ，１０３ｂが実装されたデータ用フレキシブル配線基板２０１，２０２、および電源用フレキシブル配線基板３０１，３０２を介して各有機ＥＬパネル２のデータ線、電源線、および制御信号線と電気的に接続されるようになっている。
【００７６】
制御信号Ｏは、上記走査線駆動回路１０６Ｌ，１０６ＲやドライバＩＣ１０３ａ，１０３ｂを制御する信号である。また、ドライブデータＰは、上記各画素（赤用，緑用及び青用の各画素）２１０Ａの画像データ、例えば８ビットのデジタル階調データである。
【００７７】
（画像制御ユニットＣＵの電気的構成）
次に、上記画像制御ユニットＣＵの電気的構成を図７に基づいてより詳しく説明する。なお、本例の移動体の表示モジュール３は、一例として図１０に示すように、真中の有機ＥＬパネル２により、車速をアナログ表示するスピードメータの目盛り９１、数字９２および指針９３を表示する。また、右側の有機ＥＬパネル２によりエンジン回転数をアナログ表示するタコメータの目盛り９４、数字９５および指針９６を表示し、左側の有機ＥＬパネル２でカーナビゲーション装置の地図情報等の画像９７を表示する。また、左側の有機ＥＬパネル２では、テレビの画像やＤＶＤ装置の画像も表示できる。
【００７８】
本例では、移動体の表示モジュール３は、３つの有機ＥＬパネル２に対して一つの画像制御ユニットＣＵを備える。
画像制御ユニットＣＵは、入力される車情報データおよび画像データに基づいて複数の表示用画像データをそれぞれ作成し３つのパネルアッセンブリＡ，Ｂ，Ｃの各パネル制御回路１００Ａへ出力する画像処理回路１１０が設けられた画像制御基板１１１を備える。
【００７９】
また、画像制御ユニットＣＵは、上記複数の出力ポートＲ１，Ｒ２，Ｒ３から各有機ＥＬパネル２へ電源を供給する電源回路１１２と、車情報データおよび画像データがそれぞれ入力される複数の入力回路（インターフェースＩ／Ｆ１，Ｉ／Ｆ２）１１３，１１４とを備える。さらに、画像制御ユニットＣＵは、画像処理回路１１０、電源回路１１２、入力回路１１３，１１４を統括制御するＣＰＵ１１５と、各種の制御プログラム等が格納されたＲＯＭ１１６と、画像処理に用いる各種の画像データが格納されたＲＯＭ１１７と画像処理用のＲＡＭ１１８とを備える。
【００８０】
ＲＯＭ１１７には、スピードメータの目盛り９１および数字９２を表示させるための背景データ、タコメータの目盛り９４、数字９５および指針９６を表示させるための背景デ
ータが格納されている。また、ＲＯＭ１１７には、スピードメータの目盛り９１および数字９２に重ねて表示される指針９３の画像を作成するための画像データ、タコメータの目盛り９４および数字９５に重ねて表示される指針９６の画像を作成するための画像データ等が格納されている。指針９３や指針９６をそれぞれ背景画像に重ねて表示する方法として、例えば次の２通りがあり、いずれの方法でも良い。
【００８１】
・所定角度ずつ位置が異なる多数の指針データ（指針９３用の指針データと指針９６用の指針データの２種類）をＲＯＭ１１７に格納しておき、車速やエンジン回転数に応じた指針データを読み出し、読み出した指針データと上記背景データの足し算をして各メータの表示用画像データを作成する。
【００８２】
・車速データやエンジン回転数に応じた角度位置の指針９３および指針９６の画像データをそれぞれ作成し、作成した各指針の画像データと、上記背景データの足し算をして各メータの表示用画像データを作成する。
【００８３】
入力回路１１３には、真中の有機ＥＬパネル２によりスピードメータを表示させるための車速データと、右側の有機ＥＬパネル２によりタコメータを表示させるためのエンジン回転数データとが入力される。車速センサで検出された車速データと、エンジン回転数センサで検出されたエンジン回転すデータは、それぞれ車両内のＥＣＵ（電子制御ユニット）から車載ネットワークを通じて逐次送られる。車載ネットワーク・プロトコルとして、例えば、ＣＡＮ（Controller Area Network）、Ｆｌｅｘ  Ｒａｙ等が利用可能である。
【００８４】
入力回路１１４には、自動車等の車両に搭載されるカーナビゲーション装置から地図情報等の画像データ（ＲＧＢごとの画像データ）が入力される。本例では、一例として、それらの画像データと一緒にクロック（同期信号）が入力回路１１４に入力されるので、その同期信号に基づいて各有機ＥＬパネル２での走査の同期をとるようになっている。なお、各有機ＥＬパネル２側からのクロック（同期信号）をもらって、画像制御ユニットＣＵから各パネルアッセンブリＡ，Ｂ，Ｃ側への画像データの転送を行い、各有機ＥＬパネル２の走査を行うようにしてもよい。また、入力回路１１４には、テレビ、ビデオ装置等の他のシステムからの画像データ、ＨＤＤ，ＤＶＤ等の記憶装置からの画像データを入力することもできる。
【００８５】
図７に示す画像制御ユニットＣＵにおいて、符号ａは車情報データ制御信号、符号ｂは画像データ制御信号、符号ｃは画像処理回路制御信号、符号ｄは電源回路制御信号、符号ｅはパネルアッセンブリ制御信号、符号ｆは車情報データ、符号ｇは画像データである。また、符号ｈはパネルアッセンブリＡへの電源信号、符号ｉはパネルアッセンブリＢへの電源信号、符号ｊはパネルアッセンブリＣへの電源信号、符号ｋはパネルアッセンブリＡへの画像データ、符号ｌはパネルアッセンブリＢへの画像データ、符号ｍはパネルアッセンブリＣへの画像データである。また、符号ｎは、ＲＡＭ１１８の制御信号である。
【００８６】
ＣＰＵ１１５は、車情報データ制御信号ａにより入力回路１１３に逐次入力される車情報データｆ（車速データおよびエンジン回転数データ）を画像処理回路１１０へ転送する制御を行う。また、ＣＰＵ１１５は、画像データ制御信号ｇにより入力回路１１４に入力される画像データを画像処理回路１１０へ転送する制御を行う。また、ＣＰＵ１１５は、電源回路制御信号ｄにより、電源回路１１２の各出力ポートＲ１，Ｒ２，Ｒ３から各パネルアッセンブリＡ，Ｂ，Ｃへ電源信号ｈ，ｉ，ｊへ出力する制御を行う。また、ＣＰＵ１１５は、画像処理回路制御信号ｃにより、画像処理回路１１０の各出力ポートＳ１，Ｓ２，Ｓ３から各パネルアッセンブリＡ，Ｂ，Ｃへ画像データｋ，ｌ，ｍを出力する制御を行う。そして、ＣＰＵ１１５は、パネルアッセンブリ制御信号ｅを各パネルアッセンブリＡ，Ｂ，Ｃへ出力する制御を行うようになっている。
【００８７】
このような構成を有する移動体の表示モジュール３は、図９に示すように、自動車等の車両２０のインストルメントパネル２１に搭載される。真中の有機ＥＬパネル２で表示されるスピードメータの上部左右には、方向指示器４０の上下方向への操作により２つの発光ダイオードが点滅する方向指示部４１，４２が設けられている。この方向指示部４１，４２は、ハザードスイッチ（図示省略）の操作により２つの発光ダイオードが同時に点滅する。
【００８８】
以上のように構成された移動体の表示モジュールによれば、以下の作用効果を奏する。
○非表示エリア１５の幅を小さくすることができる３つの有機ＥＬパネル２を用いて、各有機ＥＬパネル２を隣合うパネルの非表示エリア１５が平面的に重なるように配置してある。これにより、３つの有機ＥＬパネル２により車両のスピードメータ、タコメータ、カーナビゲーション装置の地図画面等の異なる画像を表示させる場合、通常のメータに近い表示が可能となる。また、３つの有機ＥＬパネル２の各々で、パネルサイズに対する表示エリア１４の割合が大きく、高輝度の表示が可能な移動体の表示モジュール３を実現できる。
【００８９】
なお、この発明は以下のように変更して具体化することもできる。
・上記各実施形態では、表示パネルとして、有機ＥＬ表示装置１に用いる有機ＥＬパネル２を一例として説明したが、放電を用いた蛍光型のプラズマディスプレイに用いる表示パネル、電子放出素子を用いたディスプレイ（ＦＥＤ）やＳＥＤ（Surface−Conduction
Electron−Emitter  Display）に用いる表示パネルにも本発明は適用可能で、上記各実施形態と同様の効果を得ることができる。
【００９０】
・上記各実施形態では、有機ＥＬパネル２の発光素子基板１１に、データ線を２つのブロックに分け、各ブロックごとに一つのデータ線パッドと２つの電源線パッドを図１に示すように配置してある。本発明は、このような配置に限定されず、図１１（ａ）に示すように、各ブロックごとに、２つのデータ線パッド４０１ａ，４０１ｂと一つの電源線パッド５０１ａを配置しても良い。また、図１１（ｂ）に示すように、各ブロックごとに、一つのデータ線パッド４０１ｃと一つの電源線パッド５０１ｃを配置しても良い。要するに。発光素子基板１１に、電源線パッドとデータ線パッドとが二次元に配置されている構成に広く適用可能である。
【００９１】
・上記第１実施形態では、データ線パッド４０１，４０２は発光素子基板１１の実装側端部に横に並んで配置され、電源線パッド５０１〜５０４はその実装側端部側から見てデータ線パッド４０１，４０２よりも奥にそれぞれ配置されている。本発明は、第１実施形態とは逆に、電源線パッド５０１〜５０４を発光素子基板１１の実装側端部に配置し、データ線パッド４０１，４０２を電源線パッド５０１〜５０４よりも奥に配置した構成にも適用可能である。この場合、４つの電源線パッド５０１〜５０４は、発光素子基板１１の実装側端部において、図１と同じように配置される。
【００９２】
・同様に、上記第２実施形態において、８つの電源線パッド５０１〜５０８を発光素子基板１１の実装側端部に図５と同じように配置し、４つのデータ線パッド４０１〜４０４を電源線パッド５０１〜５０８よりも奥に配置した構成にも本発明は適用可能である。
【００９３】
・上記第１実施形態ではデータ線を２つのブロックに分けて２つのドライバＩＣで分担して駆動し、上記第２実施形態ではデータ線を４つのブロックに分けて４つのドライバＩＣで分担して駆動するようにしているが、本発明はこれらの構成に限定されない。データ線を「２」や「４」以外に数のブロックに分けて駆動する構成にも本発明は適用可能である。
【００９４】
・上記各実施形態では、データ線Ｘ１〜Ｘｍを複数のブロックに分けた構成を一例として説明したが、データ線Ｘ１〜Ｘｍを一つのデータ線駆動回路（ドライバＩＣ）で駆動する構成にも本発明は適用可能である。
【００９５】
・上記第１実施形態では、各画素回路２２０の電源ライン２３０に接続される電源線を、Ｒ，Ｇ，Ｂの各画素ごとに１本ずつ設けられる太い帯状の電源線としているが、各画素ごとに多数本、例えば２０〜３０本ずつの電源線を用いる構成であっても良い。
【図面の簡単な説明】
【００９６】
【図１】第１実施形態に係る有機ＥＬ表示装置を一部分解して示した平面図。
【図２】同表示装置を示す斜視図。
【図３】同表示装置の電気的構成を示すブロック図。
【図４】（ａ）画素回路を示す回路図、（ｂ）動作を示すタイミングチャート。
【図５】第２実施形態に係る有機ＥＬ表示装置を示す斜視図。
【図６】移動体の表示モジュールを示すパネル配置図。
【図７】移動体の表示モジュール全体の電気的構成を示すブロック図。
【図８】同表示モジュールのパネルアッセンブリの電気的構成を示すブロック図。
【図９】同表示モジュールが実装された車両内部を示す斜視図。
【図１０】同表示モジュールの表示状態を示す平面図
【図１１】（ａ）電源線パッドとデータ線パッドの変形例を示す説明図、（ｂ）別の変形例を示す説明図。
【図１２】有機ＥＬパネルの解像度とデータ線パッドのピッチの関係を示すグラフ。
【符号の説明】
【００９７】
ｋ，ｌ，ｍ…画像データ、Ｄｇ…必要封止幅、Ｘ１〜Ｘｍ…データ線、１００…パネル制御回路、１１…発光素子基板、１２…封止基板、１４…表示エリア、１５…非表示エリア、１０１…パネル制御基板、１０１ａ，１０１ｂ…面、１０３ａ，１０３ｂ，１０３ｃ，１０３ｄ…ドライバＩＣ、２０１〜２０４…データ用フレキシブル配線基板、２０１ａ，２０２ａ…データ供給線、２０１ｃ，２０２ｃ，２０３ｃ，２０４ｃ，３０１ｂ，３０２ｂ，３０３ｂ，３０４ｂ…入力側端子部、２０１ｄ，２０２ｄ，２０３ｄ，２０４ｄ，３０１ｃ，３０１ｄ，３０２ｃ，３０２ｄ，３０３ｃ，３０３ｄ，３０４ｃ，３０４ｄ…出力側端子部、２１０Ａ…画素、２２０…画素回路、３０１〜３０４…電源用フレキシブル配線基板、３０１ａ，３０２ａ…電源供給線、４０１〜４０４，４０１ａ，４０１ｂ，４０１ｃ…データ線パッド、５０１〜５０８，５０１ａ，５０１ｃ…電源線パッド。
【図１】
2006235280.tif 000003
【図２】
2006235280.tif 000004
【図３】
2006235280.tif 000005
【図４】
2006235280.tif 000006
【図５】
2006235280.tif 000007
【図６】
2006235280.tif 000008
【図７】
2006235280.tif 000009
【図８】
2006235280.tif 000010
【図９】
2006235280.tif 000011
【図１０】
2006235280.tif 000012
【図１１】
2006235280.tif 000013
【図１２】
2006235280.tif 000014